(57)【要約】【課題】一つの光源で、進行方向など多様な表現が可能であり、しかも、薄型でありながら視認性も良好なエレベータのホールランタンを提供する。【解決手段】実施形態によるエレベータのホールランタンでは、一定の平面領域全体を発光可能なフィルム形状の発光体15をホールランタンの内部に備え、このー発光体15は、一定の発光パターンで発光可能な複数の発光面15a、15b、15cまたはかごの進行方向を表す形状の複数の発光面21、22を有する。【選択図】図２
2019202879.tif 000002
【特許請求の範囲】
【請求項１】
エレベータの乗場に設置され、利用者にかごの到着を知らせるエレベータのホールランタンにおいて、
一定の平面領域全体を発光可能なフィルム形状の発光体を前記ホールランタンの内部に備え、
前記発光体は、一定の発光パターンで発光可能な複数の発光面またはかごの進行方向を表す形状の複数の発光面を有することを特徴とするエレベータのホールランタン。
【請求項２】
前記発光体は、１枚のエレクトロルミネッセンス素子からなり、前記発光体には独立して発光可能な複数の発光面を有することを特徴とする請求項１に記載のエレベータのホールランタン。
【請求項３】
前記発光体は、少なくとも３以上の前記発光面が上下方向に並び、点灯する各発光面を移動させせることにより、かごの進行方向を表現し、前記発光面すべてを点灯または点滅させることでかごの到着を表現することを特徴とする請求項２に記載のエレベータのホールランタン。
【請求項４】
前記発光体は、上下２つ前記発光面を有し、上下片側の前記発光面を点灯させることにより、かごの進行方向を表現し、前記発光面すべてを点灯または点滅させることでかごの到着を表現することを特徴とする請求項２に記載のエレベータのホールランタン。
【請求項５】
前記発光体は、重なり合うように配置された少なくとも３枚の発光体の組からなり、そのうち、２枚の発光体は、それぞれ乗りかごの方向を表現する形状を有し、１枚の発光体は全面点灯によりかごの到着を表現することを特徴とする請求項１に記載のエレベータのホールランタン。
【請求項６】
かごの到着を表現する前記発光体は、均一に発光する発光面と、文字、記号等を表示するディスプレイ部と、を有することを特徴とする請求項５に記載のエレベータのホールランタン。
【請求項７】
前記発光体は、その左右両側に湾曲する発光面を有することを特徴とする請求項２または５に記載のエレベータのホールランタン。
【請求項８】
エレベータの乗場に設置され、利用者にかごの到着を知らせるエレベータのホールランタンにおいて、
一定の平面領域全体を発光可能な複数の発光面を有するフィルム形状の発光体を前記ホールランタンの光源として利用し、
前記発光面を点灯若しくは点滅させ、複数の発光面の組み合わせからなる発光パターンまたは単独の発光面の図形的形状によって、前記かごの進行方向を表現することを特徴とするエレベータのホールランタンの表示方法。
【発明の詳細な説明】
【技術分野】
【０００１】
本発明の実施形態は、エレベータの乗場に設置されるホールランタンおよびその点灯方法に関する。
【背景技術】
【０００２】
エレベータの乗場には、ホールランタンが設置されている。乗場にいる利用者は、ホールランタンの点灯により、かごがまもなく到着することを知ることができる。  
この種のホールランタンでは、光源にはＬＥＤを用いたものが多い。その他、光源としては、有機エレクトロルミネッセンス素子からなる発光体を用いたものがある（例えば、特許文献１）。
【０００３】
ホールランタンの表面は、照光体を利用した発光面になっており、光源から出た光は、発光面で均一に拡散するようになっている。乗場にいる利用者には、点灯した状態をどこからでもよく見えるようにする必要があるからである。
【０００４】
ホールランタンは、かごの到着だけでなく、上階行きなのか下階行きなのか、その進行方向を表現することも求められる。
【０００５】
光源一つだけのホールランタンでは、エレベータの進行方向を表現することができない。従来は、光源一つのランタンを２つ一組に上下に並べて設置し、一方のランタンの点灯によって進行方法を表現している。ランタンを２つ用いる替わりに、１つのランタンに光源を２つ設け、一方の光源の点灯によって進行方法を表現することもある。
【先行技術文献】
【特許文献】
【０００６】
【特許文献１】特開２０１５−９９０６号公報
【発明の開示】
【発明が解決しようとする課題】
【０００７】
従来のホールランタンでは、進行方向を表現する場合に、大きな制約がある。特に、１つのランタンで表現する場合には、２つある光源を収容するスペースを設けた上で、お互い光漏れのないように遮光する必要がある。しかし、ランタン本体は厚くなり、複雑な内部構造となる。
【０００８】
また、従来のホールランタンでは、発光面を均一に明るくするために、光源との距離を確保するので厚い形状のものになっている。  
意匠性の観点からは、小型、薄型のホールランタンも求められている。しかし、薄型化すると、光源との距離を確保することができず、エレベータ利用者が広い角度から明瞭に視認できなくなりホールランタンの視認性が損なわれるという問題がある。
【０００９】
本発明は、前記従来技術の有する問題点に鑑みなされたものであって、一つの光源で、進行方向など多様な表現が可能であり、しかも、薄型でありながら視認性も良好なエレベータのホールランタンを提供することを目的としている。
【課題を解決するための手段】
【００１０】
前記の目的を達成するために、本発明の一実施形態に係るエレベータのホールランタンは、エレベータの乗場に設置され、利用者にかごの到着を知らせるエレベータのホールランタンにおいて、一定の平面領域全体を発光可能なフィルム形状の発光体を前記ホールランタンの内部に備え、前記発光体は、一定の発光パターンで発光可能な複数の発光面またはかごの進行方向を表す形状の複数の発光面を有することを特徴とするものである。
【００１１】
また、本発明の一実施形態に係るエレベータのホールランタンの点灯方法は、エレベータの乗場に設置され、利用者にかごの到着を知らせるエレベータのホールランタンにおいて、一定の平面領域全体を発光可能な複数の発光面を有するフィルム形状の発光体を前記ホールランタンの光源として利用し、前記発光面を点灯若しくは点滅させ、複数の発光面の組み合わせからなる発光パターンまたは単独の発光面の図形的形状によって、前記かごの進行方向を表現することを特徴とするものである。
【図面の簡単な説明】
【００１２】
【図１】本発明の実施形態によるホールランタンが設置されたエレベータの乗場を模式的に示す図である。
【図２】本発明の第１実施形態によるホールランタンの外観を示す斜視図である。
【図３】第１実施形態によるホールランタンの主要な構成要素を示す分解図である。
【図４】ホールランタンを点灯させる制御のフローチャートである。
【図５】ホールランタンの点灯動作を示すフローチャートである。
【図６】第１実施形態によるホールランタンの点灯パターンを示す図である。
【図７】本発明の第１実施形態の変形例によるホールランタンの外観を示す斜視図である。
【図８】本発明の第２実施形態によるホールランタンの外観を示す斜視図である。
【図９】第２実施形態によるホールランタンの点灯動作を示すフローチャートである。
【図１０】第２実施形態によるホールランタンの点灯パターンを示す図である。
【発明を実施するための最良の形態】
【００１３】
以下、本発明によるエレベータのホールランタンおよびその表示方法の一実施形態について、添付の図面を参照しながら説明する。  
（第１実施形態）  
図１は、本実施形態によるホールランタンが設置されたエレベータの乗場を模式的に示す図である。この建物には、１号機、２号機、３号機の３台のエレベータが設置され、各号機の運転は群管理制御されている。各階の乗場には、１階であれば、各号機の出入口にホールドア1a、1b、1cが設けられている。同様に２階、３階、４階の乗場には、ホールドア2a乃至2c、ホールドア3a乃至3c、ホールドア4a乃至4cが設けられている。
【００１４】
１階の乗場では、それぞれホールドア1a、1b、1cの上には、ホールランタン10が設けられている。２階、３階、４階の乗場でも、ホールドア2a乃至2c、3a乃至3c、4a乃至4cの上には、それぞれホールランタン10が配置されている。なお、参照番号12は、乗場呼びボタンを示している。  
このように、エレベータの停止階になっているエレベータ乗場では、各号機の出入口にホールランタン10が設置されており、乗場で待っている利用者に、到着するエレベータ号機をホールランタン10の点灯により知らせるようになっている。
【００１５】
次に、図２は、ホールランタン10の外観を示す斜視図であり、図３は、ホールランタン10の主要な構成要素を示す分解図である。  
本実施形態によるホールランタン10は、本体部12と、ランタンの前面を覆う照光カバー14と、光源である薄板形状またはフィルム状の発光体15と、を含む。この実施形態では、発光体15には、プラスチックフィルムを基板に用いた有機エレクトロルミネッセンス素子が用いられている。
【００１６】
発光体15では、発光面15a、15b、15cが複数、具体例としては上下３段に区画されており、これら発光面15a、15b、15cは、各領域全体を独立して点灯させることが可能である。  
この実施形態では、発光体15の点灯パターンによって、乗場に到着するかごの進行方向も表現できるようになっている。上昇する号機のかごの場合は、下から発光面15a、15b、15cの順で赤く点灯させる。発光する面が下から上に移っていくように見えるので、かごの上昇を表現することができる。下降する号機のかごの場合は、上から発光面15c、15b、15aの順で青く点灯させる。上から下に下がっていく発光する面の移動により、下降するかごの動きを表現することができる。かごが乗場に着床して停止したら、それまでの上昇、下降にかかわらず、発光面15c、15b、15aをすべて同時に点滅させる。その場合、発光面の輝度を１００％〜０％の間で変更しながら点滅させてもよい。
【００１７】
発光体15は、正面に向かって左右の側部が湾曲するようになっており、同じく湾曲した面をもつベース１６に取り付けられている。さらに、発光体15には、同様に湾曲した形状を持つ照光カバー14が重なるように取り付けられている。照光カバー14は、透光性を有するプラスチックからなるカバーである。本体部12の内部は、配線やコネクタ（図示せず）を収容するスペースとして利用されている。
【００１８】
次に、図４並びに図５を参照しながら、エレベータの実際の運行との関係において、ホールランタン10の点灯動作について説明する。  
図４は、乗場呼びが登録された場合のエレベータの制御装置（図示せず）の動作を示すフローチャートである。  
まず、いずれかの停止階の乗場で乗場呼ボタン12が押されると、乗場呼登録が行われる（ステップＳ10）。制御装置は、乗場呼びのあった階に近い位置にある適当な号機のかごを選んで、呼び階へ移動させる（ステップＳ11）。以後、図５に示すようなランタン動作処理が行われる。
【００１９】
この実施形態では、かごが目的階に着床するまでの時間が制御装置によってカウントされ、到着が間近になったかどうかが判別される（ステップＳ12）。例えば、到着5秒前になると（ステップＳ12のyes）、かごの進行方向が上階行きか否かが判別される（ステップＳ13）。乗場へ向かうかごが上階行きであれば（ステップＳ13のyes）、図６（Ａ）に示されるように、かごが到着する出入口のホールランタン10を点灯させる。この場合、ホールランタン１０の発光面15a、15b、15cを下から順に赤く点灯させる（ステップＳ15）。このようなホールランタン10の点灯は、かごが目的階に到着するまで継続される。
【００２０】
他方、ステップＳ13において、かごが下階行きであった場合には、ステップＳ14からステップＳ16に進み、図６（Ｂ）に示されるように、かごが到着する出入口のホールランタン10をその発光面15c、15b、15aを上から順に青く点灯させる。  
なお、かごが到着階に停止する場合には、ランタン１０の発光面15a、15b、15cを全部同時に点滅させるが、その際に輝度を100％〜5％の間で変えながら点滅させる（ステップＳ17）。
【００２１】
こうして、かごが目的階に到着すると（ステップＳ18のyes）、かごドアおよびホールドアが開き（ステップＳ19）、利用者の乗り降りが終わってからかごドアおよびホールドアが閉められ（ステップＳ20）、しかる後、ホールランタン10は消灯される（ステップＳ21）。
【００２２】
以上のような第１実施形態によれば、１枚の発光体15に独立して発光する複数の発光面15a乃至15cを設け、これら発光面15a乃至15cを順に点灯し、また同時に点滅させることにより、１つの単体光源でありながら、かごの到着だけでなく、かごの進行方向も利用者に知らせることが可能になる。
【００２３】
また、発光体15には、フィルム状の発光体全体が発光する有機エレクトロルミネッセンス素子を用いているので、光源の光を拡散する必要がなく、照光カバー14の裏に隙間を取らずに配置してホールランタン10の構造を薄型にすることができる。
【００２４】
また、有機エレクトロルミネッセンス素子からなる発光体15は湾曲した形状にすることが容易であり、発光体全体として均一に発光する湾曲した発光面を有しているため、利用者は乗場のどこにいても広い角度からホールランタン10の点灯、点滅を視認することができる。
【００２５】
なお、図７は、ホールランタン10の変形例を示す図である。この変形例では、上下２段に発光面15a、15bが構成されている。上昇するかごの動きは、上段の発光面15bの点灯で表現し、下降するかごの動きは、下段の発光面15aで表現することができる。着床した場合は、発光面15a、15bを同時に点滅させればよい。
【００２６】
（第２実施形態）
次に、本発明の第２実施形態に係るホールランタンについて、図８を参照して説明する。  
図８は、第２実施形態によるホールランタンの分解図である。
【００２７】
第１実施形態では、光源として、発光面15a、15b、15cが上下複数段に区画されている１枚の有機エレクトロルミネッセンス素子を用いているのに対して、この第２実施形態によるホールホールランタン10では、光源には、複数のフィルム状の発光体20、21、22が用いられている。ホールホールランタン10の構成要素のうち、本体部12と、ホールランタンの前面を覆う照光カバー14は、第１実施形態と同様である。
【００２８】
発光体20、21、22には、いずれもプラスチックフィルムを基板に用いた有機エレクトロルミネッセンス素子が用いられている。これら発光体20、21、22は、独立して単独で点灯させ、あるには組み合わせて全面を均一に点灯させることが可能である。  
この実施形態では、発光体20、21、22の形状による点灯パターンによって、利用者に知らせる情報を表現するようになっている。発光体21、22は、矢印を表す平面形状を有しており、矢印形状全体が均一に発光することで乗場に到着するかごの進行方向を表現する。上昇する号機のかごの場合は、発光体22を点灯させて上向きの矢印を表示する。下降する号機のかごの場合は、発光体21を点灯させて下向きの矢印を表示する。この実施形態では、発光体21の矢印の頭の両側は湾曲面21a、21bを有し、同様に発光体22も湾曲面22a、22bを有している。
【００２９】
かごが到着階に着床して停止したら、発光体20を点滅させる。この発光体20は、向かって正面の左右の側部が彎曲する形状を有しており、全体が均一に発光するようになっている。
【００３０】
次に、図９を参照しながら、エレベータの運行との関係において、第２実施形態によるホールランタン１０の点灯動作について説明する。  
図９は、第２実施形態において、乗場呼びが登録された場合のエレベータの制御装置の動作を示すフローチャートである。
【００３１】
いずれかの乗場で乗場呼ボタン12が押されると、制御装置は、乗場呼びのあった階に近い適当な号機のかごを選んで、呼び階へ移動させ、以下のようにランタン動作処理が開始される。  
かごが目的階に着床するまでの時間が制御装置によってカウントされ、到着が間近になったかどうかが判別される（ステップＳ22）。5秒前になると（ステップＳ22のyes）、かごの進行方向が上階行きか否かが判別される（ステップＳ23）。乗場へ向かうかごが上階行きであれば（ステップＳ23のyes）、図１０（Ａ）に示されるように、かごが到着する出入口のホールランタン10を点灯させる。この場合は、発光体22が点灯する（ステップＳ25）。
【００３２】
他方、ステップＳ23において、かごが下階行きであった場合には、ステップＳ23からステップＳ24に進み、図１０（Ｂ）に示されるように、かごが到着する出入口のホールランタン10では発光体21を点灯させる。なお、到着階に停止する場合には、図１０（Ｃ）に示されるように、発光体20を点滅させる（ステップＳ27）。
【００３３】
こうして、かごが目的階に到着すると（ステップＳ28のyes）、かごドアおよびホールドアが開き（ステップＳ29）、利用者の乗り降りが終わってからかごドアおよびホールドアが閉められ（ステップＳ30）、しかる後、ホールランタン10は消灯される（ステップＳ31）。
【００３４】
以上のような第２実施形態によれば、独立して発光する複数の発光体20、21、22を重ねるようにして、これらの発光体20の点滅でかごの到着を表し、発光体21、22かごの進行方向を表すというように、単体のホールランタンでありながら、かごの到着だけでなく、かごの進行方向も利用者に知らせることが可能になる。
【００３５】
また、発光体20、21、22には、有機エレクトロルミネッセンス素子を用いているので、光源の光を拡散する必要がなく、フロントカバー14の裏に隙間を取らずに重ねて配置してホールランタン10の構造を薄型にすることができる。
【００３６】
また、有機エレクトロルミネッセンス素子からなる発光体20、21、22は矢印などの形状に切り出すのが容易であり、またこれらの発光体20、21、22は湾曲した発光面を有しているため、利用者は乗場のどこにいても広い角度からホールランタン10の点灯、点滅を視認することができる。
【００３７】
なお、発光体20には、文字等を表示できるディスプレイ部の機能を併せて持つ有機エレクトロルミネッセンス素子を用い、かごが到着した際には前面点灯だけを行い、かごが満員になった場合には「満員」の文字を表示するようにすることも可能である。
【００３８】
以上、本発明に係るエレベータのホールランタンについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３９】
10…ホールランタン、12…乗場呼びボタン、14…照光カバー、15…発光体15a、15b、15c…発光面、20…発光体、21…発光体、22…発光体
【図１】
2019202879.tif 000003
【図２】
2019202879.tif 000004
【図３】
2019202879.tif 000005
【図４】
2019202879.tif 000006
【図５】
2019202879.tif 000007
【図６】
2019202879.tif 000008
【図７】
2019202879.tif 000009
【図８】
2019202879.tif 000010
【図９】
2019202879.tif 000011
【図１０】
2019202879.tif 000012
【手続補正書】
【提出日】令和1年7月8日(2019.7.8)
【手続補正１】
【補正対象書類名】明細書
【補正対象項目名】００１０
【補正方法】変更
【補正の内容】
【００１０】
前記の目的を達成するために、本発明の一実施形態に係るエレベータのホールランタンは、エレベータの乗場に設置され、利用者にかごの到着を知らせるエレベータのホールランタンにおいて、一定の平面領域全体を発光可能なフィルム形状の発光体を前記ホールランタンの内部に備え、前記発光体は、１枚のエレクトロルミネッセンス素子からなり、一定の発光パターンで独立して発光可能な複数の発光面を有することを特徴とする。
【手続補正２】
【補正対象書類名】明細書
【補正対象項目名】００１１
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
エレベータの乗場に設置され、利用者にかごの到着を知らせるエレベータのホールランタンにおいて、
一定の平面領域全体を発光可能なフィルム形状の発光体を前記ホールランタンの内部に備え、
前記発光体は、１枚のエレクトロルミネッセンス素子からなり、一定の発光パターンで独立して発光可能な複数の発光面を有することを特徴とするエレベータのホールランタン。
【請求項２】
前記発光体は、少なくとも３以上の前記発光面が上下方向に並び、点灯する各発光面をさせることでかごの到着を表現することを特徴とする請求項１に記載のエレベータのホールランタン。
【請求項３】
前記発光体は、上下２つ前記発光面を有し、上下片側の前記発光面を点灯させることにより、かごの進行方向を表現し、前記発光面すべてを点灯または点滅させることでかごの到着を表現することを特徴とする請求項１に記載のエレベータのホールランタン。
【請求項４】
エレベータの乗場に設置され、利用者にかごの到着を知らせるエレベータのホールランタンにおいて、
一定の平面領域全体を発光可能なフィルム形状の発光体を前記ホールランタンの内部に備え、
前記発光体は、重なり合うように配置された少なくとも３枚のエレクトロルミネッセンス素子の発光体の組からなり、そのうち、２枚の発光体は、それぞれ乗りかごの方向を表現する形状を有し、１枚の発光体は全面点灯によりかごの到着を表現することを特徴とするエレベータのホールランタン。
【請求項５】
かごの到着を表現する前記発光体は、均一に発光する発光面と、文字、記号等を表示するディスプレイ部と、を有することを特徴とする請求項４に記載のエレベータのホールランタン。
【請求項６】
前記発光体は、その左右両側に湾曲する発光面を有することを特徴とする請求項１または４に記載のエレベータのホールランタン。